(57)【特許請求の範囲】
【請求項１】
柔軟性を有する包装材のシールにより製袋されたバッグ本体と、
前記包装材の外面に被せられ、その一対の対向縁に形成された縁シール部により前記包装材に対して一体化されたカバー材と、
前記縁シール部の内方両側にそれぞれ少なくとも１つずつ設けられ、前記カバー材と前記包装材を点シールする点シール部と、
基端側が前記バッグ本体またはカバー材にシールされて基端シール部が形成された二本の吊下げ糸を備え、
一方の吊下げ糸は両側の点シール部と一方の縁シール部の縁端とが引張り時に支点となるよう這わされ、他方の吊下げ糸は両側の点シール部と他方の縁シール部の縁端とが引張り時に支点となるよう這わされており、
当該一方の吊下げ糸を一方側外方に向かって、当該他方の吊下げ糸を他方側外方に向かってそれぞれ反対方向に引張ると、前記基端シール部と点シール部が一箇所に寄せられることで包装材が絞られることを特徴とする抽出用バッグ。
【請求項２】
請求の範囲第１項に記載した抽出用バッグにおいて、
カバー材は包装材と同じ材料によって構成され、その包装材の製袋用シール部が縁シール部を兼ねていることを特徴とする抽出用バッグ。
【請求項３】
請求の範囲第１項または第２項に記載した抽出用バッグにおいて、
点シール部は両側にそれぞれ１つずつ設けられ、二本の吊下げ糸のそれぞれの支点用に共用されていることを特徴とする抽出用バッグ。
【請求項４】
請求の範囲第１項から第３項のいずれかに記載した抽出用バッグにおいて、
抽出用バッグは三角錐状で、点シール部は１つの三角面上にあり、いずれか一方の吊下げ糸の基端シール部は上記した三角面のいずれかの頂点またはその近傍にあり、両側の点シール部の周囲にＳ字状に這わされており、残りの他方の吊下げ糸の基端シール部は上記した三角面以外の残りの三つの三角面で囲まれた頂点またはその近傍にあり、両側の点シール部の周囲にＵ字状に這わされていることを特徴とする抽出用バッグ。
【請求項５】
請求の範囲第１項から第４項のいずれかに記載した抽出用バッグにおいて、
二本の吊下げ糸はそれぞれタグ付きになっており、それぞれのタグは隣接して包装材に対して仮シールされていることを特徴とする抽出用バッグ。
【請求項６】
請求の範囲第１項から第５項のいずれかに記載した抽出用バッグのバッグ本体に製袋化する連続した長尺の包装材シートであって、
前記包装材シートの短手方向一端側は折り返されてなり、その折返し部の縁と他端縁が合掌されて縦シールされ、さらにそれと交差する方向に横シールされると、製袋化されると共に、その横シールにより縁シール部が形成された折返し片がカバー材として前記包装材に一体化されることを特徴とする包装材シート。
【請求項７】
請求の範囲第６項に記載した包装材シートにおいて、
一方のタグ付き吊下げ糸の基端シール部は折返し部の間に設けられ、両側の二つの点シール部の周囲をＳ字状に這わされており、
他方の吊下げ糸の基端シール部は外方の露出した包装材シート上に設けられ、両側の二つの点シール部の周囲をＵ字状に這わされていることを特徴とする包装材シート。
【発明の詳細な説明】
【技術分野】
【０００１】
本発明は、タグ付き吊下げ糸を備える抽出用バッグと、この抽出用バッグのバッグ本体製造用の包装材シートに関するものである。
【背景技術】
【０００２】
従来から、茶葉等を抽出するための抽出用バッグがあるが、典型的なものは特許文献１に記載されたものであり、茶葉等が充填されたバッグ本体と、前記バッグ本体に基端側が固着され、且つ遊端側にタグが固着された吊下げ糸とから成っている。
この抽出用バッグを使用して茶葉等を抽出する場合には、タグを手で持ち、湯の入ったカップ等にバッグ本体を入れて茶等を水中に抽出させる。そして、抽出後には、タグを持ち上げて、バッグ本体をカップから引き上げ、ゴミ箱等に入れて廃棄する。
【先行技術文献】
【特許文献】
【０００３】
【特許文献１】特開２００８−１５００７１号公報
【特許文献２】特表平８−５００３１０号公報
【発明の概要】
【発明が解決しようとする課題】
【０００４】
而して、カップ等から引き上げた後のバッグ本体には水分が多く残っており、吊下げ糸を上下に振っても水切りを十分にすることは難しい。
このため、廃棄するにしても、バッグ本体の下側に手を添える等して落下した水分を受け止めながら、ゴミ箱等までもっていかなければならず、手が汚れてしまい面倒であった。
また、バッグ本体に残った水分には茶等が十分に抽出して濃くなっているが、この抽出分を見す見す廃棄することになってしまう。【０００５】
特許文献２に記載の浸出パッケージは、バッグ本体内に吊下げ糸の大部分が保持され、その両端が外に引き出されている。この浸出パッケージでは、その両端が反対方向に引っ張られると、その中に充填されている茶葉等が絞られて水切りされるようになっている。
しかしながら、上記のタイプの浸出パッケージでは水切りは不十分であり、加えて、バッグ本体内に吊下げ糸を保持させたり、吊下げ糸がバッグ本体より外方に突出したりしていること等から、特許文献１に記載の慣用的な製袋充填装置にパッケージフィルムをかけて製袋充填することはできない。【０００６】
本発明は上記従来の問題点に着目して為されたものであり、バッグ本体内に充填された茶葉等を十分に絞り切ることができると共に、従来の慣用的な製袋充填装置にかけて製袋充填することができる抽出用バッグを提供することを目的とする。また、本発明は、上記した抽出用バッグのバッグ本体製造用の包装材シートを提供することを目的とする。
【課題を解決するための手段】
【０００７】
本発明は上記課題を解決するためになされたものであり、請求の範囲第１項の発明は、柔軟性を有する包装材のシールにより製袋されたバッグ本体と、前記包装材の外面に被せられ、その一対の対向縁に形成された縁シール部により前記包装材に対して一体化されたカバー材と、前記縁シール部の内方両側にそれぞれ少なくとも１つずつ設けられ、前記カバー材と前記包装材を点シールする点シール部と、基端側が前記バッグ本体またはカバー材にシールされて基端シール部が形成された二本の吊下げ糸を備え、一方の吊下げ糸は両側の点シール部と一方の縁シール部の縁端とが引張り時に支点となるよう這わされ、他方の吊下げ糸は両側の点シール部と他方の縁シール部の縁端とが引張り時に支点となるよう這わされており、当該一方の吊下げ糸を一方側外方に向かって、当該他方の吊下げ糸を他方側外方に向かってそれぞれ反対方向に引張ると、前記基端シール部と点シール部が一箇所に寄せられることで包装材が絞られることを特徴とする抽出用バッグである。【０００８】
請求の範囲第２項の発明は、請求の範囲第１項に記載した抽出用バッグにおいて、カバー材は包装材と同じ材料によって構成され、その包装材の製袋用シール部が縁シール部を兼ねていることを特徴とする抽出用バッグである。【０００９】
請求の範囲第３項の発明は、請求の範囲第１項または第２項に記載した抽出用バッグにおいて、点シール部は両側にそれぞれ１つずつ設けられ、二本の吊下げ糸のそれぞれの支点用に共用されていることを特徴とする抽出用バッグである。【００１０】
請求の範囲第４項の発明は、請求の範囲第１項から第３項のいずれかに記載した抽出用バッグにおいて、抽出用バッグは三角錐状で、点シール部は１つの三角面上にあり、いずれか一方の吊下げ糸の基端シール部は上記した三角面のいずれかの頂点またはその近傍にあり、両側の点シール部の周囲にＳ字状に這わされており、残りの他方の吊下げ糸の基端シール部は上記した三角面以外の残りの三つの三角面で囲まれた頂点またはその近傍にあり、両側の点シール部の周囲にＵ字状に這わされていることを特徴とする抽出用バッグである。【００１１】
請求の範囲第５項の発明は、請求の範囲第１項から第４項のいずれかに記載した抽出用バッグにおいて、二本の吊下げ糸はそれぞれタグ付きになっており、それぞれのタグは隣接して包装材に対して仮シールされていることを特徴とする抽出用バッグである。【００１２】
請求の範囲第６項の発明は、請求の範囲第１項から第５項のいずれかに記載した抽出用バッグのバッグ本体に製袋化する連続した長尺の包装材シートであって、前記包装材シートの短手方向一端側は折り返されてなり、その折返し部の縁と他端縁が合掌されて縦シールされ、さらにそれと交差する方向に横シールされると、製袋化されると共に、その横シールにより縁シール部が形成された折返し片がカバー材として前記包装材に一体化されることを特徴とする包装材シートである。【００１３】
請求の範囲第７項の発明は、請求の範囲第６項に記載した包装材シートにおいて、一方のタグ付き吊下げ糸の基端シール部は折返し部の間に設けられ、両側の二つの点シール部の周囲をＳ字状に這わされており、他方の吊下げ糸の基端シール部は外方の露出した包装材シート上に設けられ、両側の二つの点シール部の周囲をＵ字状に這わされていることを特徴とする包装材シートである。
【発明の効果】
【００１４】
本発明の抽出用バッグによれば、バッグ本体内に充填された被抽出物を絞り切ることができる。また、この抽出用バッグは、慣用の製袋充填装置での製袋充填により製造することができる。
【図面の簡単な説明】
【００１５】
【図１】本発明の実施の形態に係る抽出用バッグの斜視図である。
【図２】図１の抽出用バッグを構成するバッグ本体の四面図である。
【図３】図１の抽出用バッグを製造するために用いる包装材シートの斜視図である。
【図４】図１の抽出用バッグを製造するために用いる包装材シートの上面図である。
【図５】図１の抽出用バッグの製袋化の過程の説明図である。
【図６】図５に続く、抽出用バッグの製袋化の過程の説明図である。
【図７】図１の抽出用バッグのタグを剥がした状態を示す図である。
【図８】図１の抽出用バッグのバッグ本体の絞り作業の説明図である。
【図９】図１の抽出用バッグのバッグ本体が絞られる様子を説明するための図である。
【図１０】図９に続く、バッグ本体が絞られる様子を説明するための図である。
【図１１】第２の実施の形態に係る抽出用バッグの斜視図である。
【発明を実施するための形態】
【００１６】
本発明の第１の実施の形態に係る抽出用バッグ１を図面にしたがって説明する。
先ず、抽出用バッグ１の構成を、図１、図２にしたがって説明する。
図１において符号３はバッグ本体を示し、このバッグ本体３は矩形状の柔軟な包装材の縁が合掌されシールされて、図２で示す四つの三角面７、９、１１、１３からなる三角錐状に立体成形されている。シール部は縦シール部１５と横シール部１７、１９とからなっている。
このバッグ本体３内には被抽出物としての茶葉Ｔが充填されている。
【００１７】
符号２１はカバー材を示し、このカバー材２１の素材もバッグ本体３を構成する包装材と同じであるが、小面積の矩形状になっている。カバー材２１は、バッグ本体３の二つの三角面７、１３に跨って上から被さっている。このカバー材２１の三辺の縁はバッグ本体３に対してシールされて縁シール部が形成されているが、この縁シール部は上記した縦シール部１５と横シール部１７、１９に重ねて同時に形成されている。すなわち、製袋用シールが縁シールを兼ねている。図面では、横シール部１７に重ねて形成された縁シール部に符号２３、横シール部１９に重ねて形成された縁シール部に符号２５を付して区別する。
一方、残りの一辺はシールされずに開口して開口部２７になっており、カバー材２１はポケット状になってバッグ本体３に対して一体化されている。
【００１８】
符号２９、３１は点シール部を示し、点シール部２９、３１はカバー材２１とバッグ本体３の三角面７とを点状にシールしている。点シール部２９、３１は縁シール部２３の内方側と縁シール部２５の内方側にそれぞれ設けられている。また、これらの点シール部２９、３１は開口部２７に同程度に近い位置に配置されている。
したがって、点シール部２９と縁シール部２３の縁端との間の抜け口Ｓ１の寸法と、点シール部３１と縁シール部２５の縁端との間の抜け口Ｓ２の寸法はほぼ同じになっており、いずれも、後述する二本のタグ付き吊下げ糸３３、４１のそれぞれの吊下げ糸３５、４３が二本同時に十分に余裕を持って通れる程度の寸法になっている。
【００１９】
タグ付き吊下げ糸３３は、吊下げ糸３５とその一端側に取り付けられたタグ３７とからなり、タグ付き吊下げ糸４１は、吊下げ糸４３とその一端側に取り付けられたタグ４５とからなり、区別のために符号を異にしているが、二本のタグ付き吊下げ糸は構造及び材料が同じになっている。
【００２０】
タグ付き吊下げ糸３３の基端側は三角面７の頂点８の近傍でカバー材２１に対してシールされて基端シール部３９が形成されている。基端シール部３９から延び出た吊下げ糸３５は点シール部２９、３１の周囲をＳ字状に大きく這わされた後、抜け口Ｓ２からポケットの外に引き出され、三角面９を横断し、三角面１１の内方まで延び、タグ３７が三角面１１に対して仮シールされている。
タグ付き吊下げ糸４１の基端側は三角面１１の上の頂点１２（すなわち、三角面９、１１、１３で囲われた頂点）の近傍でシールされて基端シール部４７が形成されている。基端シール部４７から延び出た吊下げ糸４３は点シール部３１、２９の周囲をＵ字状に大きく這わされた後、抜け口Ｓ１からポケットの外に引き出され、三角面９を横断し、三角面１１の内方まで延び、タグ４５が上記したタグ３７に隣接した状態で三角面１１に対して仮シールされている。
【００２１】
次に、抽出用バッグ１のバッグ本体３に製袋化するのに用いる連続した長尺の包装材シート４９の構成について、図３、図４にしたがって説明する。
符号５１は連続した長尺のシート本体を示す。このシート本体５１は、上記したバッグ本体３を構成する一枚の包装材５が長手方向に連続したものである。
シート本体５１の短手方向一端側は折り返されて折返し片５３になっており、その折返し片の短手方向の長さ寸法はシート本体５１の折返し前の短手方向の長さ寸法の１／４をやや超える程度になっている。
【００２２】
左右両側の点線部ｔ１が縦シールアンドカット部１５、上下両側の点線部ｔ２が横シールアンドカット部１７、１９になる。製袋化すると、折返し片５３がカバー材２１になり、折返し片５３の縁５５が開口部２７となる。
製袋化により、図４中点線により画定された三角形が、立体成形後に三角面７、９、１１、１３になると想定して、点シール部２９、３１と、タグ付き吊下げ糸３３（吊下げ糸３５、タグ３７、基端シール部３９）、タグ付き吊下げ糸４１（吊下げ糸４３、タグ４５、基端シール部４７）は、図示のような配置で取り付けられている。
吊下げ糸３５、４３はそれぞれ上下で隣り合うｔ２の間に収まっているので、ｔ２で切断されても共に切断されることはない。
【００２３】
次に、上記した包装材シート４９の製袋化を、図５、図６にしたがって説明する。
図５に示すように、包装材シート４９が下方に送られていき、その過程でシールアンドカットによる製袋と茶葉Ｔの充填が行われていくが、視認の便宜のために茶葉Ｔの充填過程及び充填状態の図示は省略する。
先ず、短手方向の両側の縁、すなわち折返し部の縁と対向する他端側の縁とが合掌され、重なり合ったｔ１に沿って縦方向にシールアンドカットが施されて、縦シール部１５となる。これによりシート本体５１は筒状に成形されたことになる。
【００２４】
その後、横方向であるＡ−Ｂ方向にシールアンドカットが施され下側の横シール部１７が形成される。そして、茶葉Ｔが充填された後に、今度はＡ−Ｂ方向と直交するＣ−Ｄ方向にシールアンドカットが施されて上側の横シール部１９が形成される。一つのバッグ本体３について上側の横シール部１９が形成されると共に、後続のバッグ本体３の下側の横シール部１７が形成されることになり、バッグ本体３は連続して製袋化されていく。
このようにして、バッグ本体３に二本のタグ付き吊下げ糸３３、４１が取り付けられた抽出用バッグ１が製造される。
【００２５】
次に、抽出用バッグ１の使用方法について、図７から図１０にしたがって説明する。
図７に示すように、タグ３７、４５をそれぞれバッグ本体３から剥がす。そして、タグ３７、４５を持ってバッグ本体３を吊下げ糸３５、４３によって吊り下げた状態で、湯の入ったカップにバッグ本体３を入れる。次に、茶葉Ｔからの成分をある程度抽出し終わった後に、タグ３７、４５を持ち上げて、バッグ本体３をカップ内から引き上げる。
【００２６】
その後、図８に示すように、タグ３７を右方に、タグ４５を左方にそれぞれ反対方向に引っ張ると、タグ付き吊下げ糸３３の吊下げ糸３５は点シール部２９、３１、縁シール部２５の縁端２６を支点として方向がガイドされながら引っ張られ、タグ付き吊下げ糸４１の吊下げ糸４３は点シール部３１、２９、縁シール部２３の縁端２４を支点として方向がガイドされながら引っ張られる。
点シール部２９、３１を支点として共用しており、吊下げ糸３５と吊下げ糸４３の三角面７上の軌道は実質的に並列していることから、図９に示すように、点シール部２９と点シール部３１とが互いに引き寄せられ、その周囲の包装材５が絞られていく。
【００２７】
さらに、図１０に示すように、点シール部２９に基端シール部３９が引き寄せられ、点シール部３１に基端シール部４７が引き寄せられ、それらの周囲の包装材５が絞られていく。
このようにしてバッグ本体３が三次元方向から絞られることになるので、茶葉Ｔを十分に絞り切ることができる。
したがって、最後の抽出分までカップに落とすことができる。また、水がポタポタ落ちたりしないので、廃棄する際にいちいち手を添えたりする必要がない。
【００２８】
本発明の第２の実施の形態に係る抽出用バッグ６１を、図１１にしたがって説明する。
この抽出用バッグ６１は平袋形になっており、シート本体５１の製袋化の際に、横シールアンドカットを常時Ａ−Ｂ方向で行うことにより製造できる。
このようにバッグ本体６３を平袋形にしてもよい。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば、二本のタグ付き吊下げ糸のタグは初期状態では一体になっており、抽出後にそれぞれの吊下げ糸を反対方向に引っ張る際に分離するように構成してもよい。
【産業上の利用可能性】
【００３０】
本発明は、抽出用バッグや抽出用バッグのバッグ本体製造用の包装材シートの製造業に利用可能である。
【符号の説明】
【００３１】
１…抽出用バッグ（第１の実施の形態）      ３…バッグ本体
５…包装材      ７、９、１１、１３…三角面      １５…縦シール部
１７、１９…横シール部      ２１…カバー材
２３、２５…縁シール部      ２４、２６…（縁シール部の）端縁
２７…開口部      ２９、３１…点シール部      ３３…タグ付き吊下げ糸
３５…吊下げ糸      ３７…タグ      ３９…基端シール部
４１…タグ付き吊下げ糸      ４３…吊下げ糸      ４５…タグ
４７…基端シール部      ４９…包装材シート      ５１…シート本体
５３…折り返し片      ５５…（折返し片の）縁
６１…抽出用バッグ（第２の実施の形態）      ６３…バッグ本体
Ｔ…茶葉
【図１】
0005499167.tif 000002
【図２】
0005499167.tif 000003
【図３】
0005499167.tif 000004
【図４】
0005499167.tif 000005
【図５】
0005499167.tif 000006
【図６】
0005499167.tif 000007
【図７】
0005499167.tif 000008
【図８】
0005499167.tif 000009
【図９】
0005499167.tif 000010
【図１０】
0005499167.tif 000011
【図１１】
0005499167.tif 000012